(57)【特許請求の範囲】
【請求項１】
コンタクトが組み付けられたボディに、光ファイバーの端部を保持しているピン型光プラグと上記コンタクトに接続される電極を有するピン型電気プラグとを選択的に挿抜可能な挿入孔が具備された電気用コネクタ要素としての第１ユニットと、この第１ユニットの上記ボディの後端部に着脱可能で、装着状態では上記挿入孔に挿入された上記ピン型光プラグに保持されている光ファイバーの光軸が同軸状に配備される光電変換素子を保持したホルダーを備える光電変換用コネクタ要素としての第２ユニットとを備える電気／光電変換両用コネクタにおいて、
上記第１及び第２の各ユニットの両方が面実装タイプに形成されていて、上記第１ユニットに具備されている面実装タイプの第１半田付け端子が上記ボディの側部に配備され、かつ、上記第２ユニットに具備されている面実装タイプの第２半田付け端子が上記ホルダーの後部に配備されていると共に、
上記第１ユニットが複数のコンタクトとそれらのコンタクトに個別に連設された複数の上記第１半田付け端子とを備える多極タイプであり、これらの第１半田付け端子のうちの一部が上記ボディの左右方向片側に、残部が上記ボディの左右方向他側に、それぞれ振り分けて配備されており、
上記ホルダーに、前向きに突き出て上記ボディの後端部に前後方向で嵌脱可能でかつ嵌合状態で上記ボディの後端部の左右の外側面に各別に重なり合う左右一対のアーム部が具備され、これらのアーム部の前端部に、上記ボディの左右の各外側面に具備された係止段部に係合することにより上記ボディの後端部を上記ホルダーの前端面と共働して挟持する係止爪がそれぞれ具備されていると共に、上記ホルダーに、上記ボディの後端部に具備されている凹入部に挿入されてその凹入部の上下の各壁面に重なり合うことにより上記第１ユニットに対する上記第２ユニットの上下位置を規制して上記第２半田付け端子の下面レベルを上記第１半田付け端子の下面レベルに一致させる位置決め突部が一体に設けられ、
上記挿入孔の孔壁面の左右２箇所が上記ボディの後端部で欠除されていて、それらの欠除部のうちの片側の欠除部の外側にその片側の欠除部に臨んで上記凹入部が、他側の欠除部の外側にその他側の欠除部に臨んで別の凹入部が、それぞれ上記ボディの後端部に具備され、上記ホルダーに、他側の上記欠除部に臨んでいる上記凹入部に挿入されることにより、片側の上記欠除部に臨んでいる上記凹入部に挿入された上記位置決め突部に上記挿入孔を挟んで左右方向で対向する補助突部が具備され、これらの位置決め突部と補助突部とに、上記各側の欠除部で上記挿入孔の孔壁面の一部を形成する円弧状の湾曲面が備わり、
上記第１ユニットに奇数個の第１半田付け端子が具備され、それらの半田付け端子が偶数個の第１半田付け端子と１個の第１半田付け端子とに区別され、１個の第１半田付け端子に板片状の立上り片部が具備され、かつ、その１個の第１半田付け端子が上記ボディの後端部の左右方向片側から後方へ突出された突片部に配備されていると共に、上記立上り片部が上記突片部の内側に重ね合わされ、偶数個の第１半田付け端子が、上記ボディの左右方向片側と他側とに同数ずつ振り分けて配備されており、上記第１ユニットに上記第２ユニットが装着されているときに、上記突片部と上記立上り片部との重なり部分が、上記ホルダーの片側の上記アーム部の内側に形成された凹入部に嵌入されるようになっていることを特徴とする電気／光電変換両用コネクタ。
【発明の詳細な説明】
【０００１】
【発明の属する技術分野】
本発明は、電気／光電変換両用コネクタに関する。
【０００２】
【従来の技術】
実公平２−３１７３５号公報に先行例による光素子付きピンジャックについての記載がある。この光素子付きピンジャックは、コンタクトを収容している本体の貫通孔にピン型電気プラグとピン型光プラグとを選択的に挿抜することができ、しかも、本体の後端部に光電変換素子を具備する保持部を着脱することができるようになっている。また、上記本体や上記保持部には下方に突き出る半田付け端子が備わっていて、配線基板に実装されるときには、それらの半田付け端子が配線基板の端子孔に挿通された状態で半田付けされる。
【０００３】
ところで、近時普及が著しい携帯電話機や携帯用音楽再生装置などの携帯機器セットにおいて、ピン型電気プラグとの電気的接続とピン型光プラグとの光学的接続との両用が可能な電気／光電変換両用コネクタを組み付ける場合、携帯機器の小形化薄形化などとの関係で、半田付け端子が配線基板の裏側に突き出さない実装状態、すなわち面実装状態での組付けを行うことが有利であることがしばしばある。また、この種の電気／光電変換両用コネクタにおいて、上記した先行例に見られるように、電気用コネクタ要素に光電変換用コネクタ要素を着脱することができるようになっているものでは、携帯機器セットの機能上、電気用コネクタ要素だけを組み込めば済むものと、電気用コネクタ要素と光電変換用コネクタ要素との両方を組み込むことが要求されるものと両方がある。
【０００４】
このような背景の下で、電気用コネクタ要素だけを面実装するための配線基板と、電気用コネクタ要素と光電変換用コネクタ要素との両方を面実装するための配線基板とを、個別に製作することはコスト面で不利がある。
【０００５】
【発明が解決しようとする課題】
本発明は以上の状況の下でなされたものであり、電気用コネクタ要素や光電変換用コネクタ要素に具備される面実装タイプの半田付け端子の配列に工夫を講じることによって、電気用コネクタ要素だけを面実装するための配線基板と、電気用コネクタ要素と光電変換用コネクタ要素との両方を面実装するための配線基板とを共用することができるようにしてコスト低減を図ることが可能な電気／光電変換両用コネクタを提供することを目的とする。
【０００６】
また、本発明は、光電変換用コネクタ要素が組み合わされる電気用コネクタ要素が多極タイプである電気／光電変換両用コネクタを提供することを目的とする。
【０００７】
さらに、本発明は、電気用コネクタ要素に対して光電変換用コネクタ要素を正確に位置決めすることができるようにして、それら両方の要素を容易かつ適切に配線基板に面実装することのできる電気／光電変換両用コネクタを提供することを目的とする。
【０００８】
さらに、本発明は、小形化による強度低下を補って実用強度を満足することのできる構造を備えた電気／光電変換両用コネクタを提供することを目的とする。
【０００９】
【課題を解決するための手段】
本発明に係る電気／光電変換両用コネクタは、コンタクトが組み付けられたボディに、光ファイバーの端部を保持しているピン型光プラグと上記コンタクトに接続される電極を有するピン型電気プラグとを選択的に挿抜可能な挿入孔が具備された電気用コネクタ要素としての第１ユニットと、この第１ユニットの上記ボディの後端部に着脱可能で、装着状態では上記挿入孔に挿入された上記ピン型光プラグに保持されている光ファイバーの光軸が同軸状に配備される光電変換素子を保持したホルダーを備える光電変換用コネクタ要素としての第２ユニットとを備えている。
【００１０】
そして、上記第１及び第２の各ユニットの両方が面実装タイプに形成されていて、上記第１ユニットに具備されている面実装タイプの第１半田付け端子が上記ボディの側部に配備され、かつ、上記第２ユニットに具備されている面実装タイプの第２半田付け端子が上記ホルダーの後部に配備されている。
【００１１】
このように第１ユニット側の第１半田付け端子がボディの側部に配備され、第２ユニット側の第２半田付け端子がホルダーの後部に配備されていると、配線基板側の半田付けランド形成領域を、第１半田付け端子に対応する領域と、第２半田付け端子に対応する領域とに区分けすることか可能になる。そのため、半田付けランドの形成パターンが同じになっている配線基板を、電気用コネクタ要素だけを面実装するための配線基板として用いることも、電気用コネクタ要素と光電変換用コネクタ要素との両方を面実装するための配線基板として用いることも可能になり、そのことが配線基板の種類を削減してコスト低減を図りやすくすることに役立つ。
【００１２】
本発明では、上記第１ユニットが複数のコンタクトとそれらのコンタクトに個別に連設された複数の上記第１半田付け端子とを備える多極タイプであり、これらの第１半田付け端子のうちの一部が上記ボディの左右方向片側に、残部が上記ボディの左右方向他側に、それぞれ振り分けて配備されている、という構成を採用することが可能である。これによれば、光電変換用コネクタ要素が組み合わされる電気用コネクタ要素が多極タイプである電気／光電変換両用コネクタを提供することが可能になる。
【００１３】
本発明では、上記ホルダーに、前向きに突き出て上記ボディの後端部に前後方向で嵌脱可能でかつ嵌合状態で上記ボディの後端部の左右の外側面に各別に重なり合う左右一対のアーム部が具備され、これらのアーム部の前端部に、上記ボディの左右の各外側面に具備された係止段部に係合することにより上記ボディの後端部を上記ホルダーの前端面と共働して挟持する係止爪がそれぞれ具備されていると共に、上記ホルダーに、上記ボディの後端部に具備されている凹入部に挿入されてその凹入部の上下の各壁面に重なり合うことにより上記第１ユニットに対する上記第２ユニットの上下位置を規制して上記第２半田付け端子の下面レベルを上記第１半田付け端子の下面レベルに一致させる位置決め突部が一体に設けられていることが望ましい。
【００１４】
これによれば、第１ユニットに対して第２ユニットが前後方向、左右方向及び上下方向で正確に位置決めされる。すなわち、第１ユニットに対する第２ユニットの前後方向での位置決めが、ホルダーの前端面と係止段部に係合した係止爪との共働によってボディの後端部が挟持されることによって正確に行われ、それらの左右方向での位置決めが、ボディの後端部の左右の外側面にホルダーから前向きに突き出た一対のアーム部が各別に重なり合うことによって正確に行われ、それらの上下方向での位置決めが、ボディの凹入部の上下の各壁面にホルダーの位置決め突部が重なり合うことにより正確に行われる。また、第１ユニットに対して第２ユニットが上下方向で位置決めされることにより、第２半田付け端子の下面レベルが第１半田付け端子の下面レベルに一致するために面実装時の半田付けを適正に行うことが容易になる。さらに、上記のように第１ユニットに対して第２ユニットが前後方向、左右方向及び上下方向で正確に位置決めされるために、第１半田付け端子や第２半田付け端子のすべてを、配線基板側のすべての半田付けランドに正確に配置することができるようになる。
【００１５】
本発明では、上記挿入孔の孔壁面の左右２箇所が上記ボディの後端部で欠除されていて、それらの欠除部のうちの片側の欠除部の外側にその片側の欠除部に臨んで上記凹入部が、他側の欠除部の外側にその他側の欠除部に臨んで別の凹入部が、それぞれ上記ボディの後端部に具備され、上記ホルダーに、上記別の凹入部に挿入されることにより、上記凹入部に挿入された上記位置決め突部に左右方向で対向する補助突部が具備され、これらの位置決め突部と補助突部とに、上記欠除部で上記挿入孔の孔壁面の一部を形成する円弧状の湾曲面が備わっていることが望ましい。これによれば、第２ユニット側の位置決め突部と補助突部とが、挿入孔に挿入されたピン型光プラグの先端部を、その第２ユニット側の光電変換素子に対して位置決めすることに役立つ。
【００１６】
本発明では、上記第１ユニットに奇数個の第１半田付け端子が具備され、それらの半田付け端子が偶数個の第１半田付け端子と１個の第１半田付け端子とに区別され、１個の第１半田付け端子に板片状の立上り片部が具備され、かつ、その１個の第１半田付け端子が上記ボディの後端部の左右方向片側から後方へ突出された突片部に配備されていると共に、上記立上り片部が上記突片部の内側に重ね合わされ、偶数個の第１半田付け端子が、上記ボディの左右方向片側と他側とに同数ずつ振り分けて配備されており、上記第１ユニットに上記第２ユニットが装着されているときに、上記突片部と上記立上り片部との重なり部分が、上記ホルダーの片側の上記アーム部の内側に形成された凹入部に嵌入されるようになっている、という構成を採用することが可能である。これによれば、ホルダーの凹入部とその凹入部に嵌入されたボディ側の突片部との嵌合箇所によって第１ユニットに対して第２ユニットが左右方向で位置決めされるようになる。そのため、この嵌合箇所によって発揮される位置決め作用が、上記した左右一対のアーム部がボディの左右の外側面に重なり合うことによって発揮される位置決め作用を補助することになる。したがって、上記ホルダーが超小形であるために左右一対のアーム部の強度をそれほど高めることができない場合であっても、上記嵌合箇所による位置決め作用と左右一対のアーム部による位置決め作用とが相乗して第１ユニットに対する第２ユニットの左右方向での位置決めが確実に行われる。その上、上記突片部はそれに重なり合っている上記立上り片部によって補強され、さらに、突片部と立上り片部との重なり部分がアーム部によってバックアップされるために、第１ユニットと第２ユニットとを左右方向にずらせる力が不慮に働いたとしても、突片部が容易に折損してしまうという事態が防止される。
【００１７】
【発明の実施の形態】
図１〜図５は本発明の実施形態による電気／光電変換両用コネクタに用いられる電気用コネクタ要素としての第１ユニット１０を示しており、図１は正面図、図２は図１のＩＩ矢視図、図３は図１のＩＩＩ矢視図、図４は図１のＩＶ矢視図、図５は図４のＶ矢視図である。
【００１８】
第１ユニット１０は、平面視矩形の箱形に形成されたボディ主部２１とそのボディ主部２１から前向きに突出している円筒状のボス部２２とを有する合成樹脂一体成形体でなるボディ２０に、複数のコンタクトが組み付けられた多極タイプのものであって、上記ボス部２２とボディ主部２１とに亘ってまっすぐな円形の挿入孔２３が形成されており、この挿入孔２３に、図示していないピン形電気プラグとピン形光プラグとを選択的に挿抜することができるようになっている。
【００１９】
図１５は第１ユニット１０に備わっている電気回路の回路図である。同図のように、第１ユニットには７極を形成する７つのコンタクトＣ１〜Ｃ７が備わっており、それぞれのコンタクトＣ１〜Ｃ７に各別に第１半田付け用端子Ｔ１〜Ｔ７が連設されている。そして、図１〜図５から類推することができるように、前側３つのコンタクトＣ１〜Ｃ３がボス部２２を活用して組み付けられ、後側４つのコンタクトＣ４〜Ｃ７がボディ主部２１に組み付けられている。また、７個（奇数個）の第１半田付け用端子Ｔ１〜Ｔ７のうち、コンタクトＣ１〜Ｃ６のそれぞれに連設されている６個（偶数個）の第１半田付け端子Ｔ１〜Ｔ６が、ボディ主部２１の左右方向Ｗ（図２）の片側と他側とに３個ずつ振り分けて配備されている。さらに、図５のように、残りの１個の第１半田付け端子Ｔ７は、ボディ主部２１の後端部に左右方向Ｗの片側から後方へ突出された突片部２４に配備されていて、その第１半田付け端子Ｔ７に具備されている板片状の立上り片部４７が、その突片部２４の内側に重ね合わされている。
【００２０】
ボディ主部２１に配備されている左右３個ずつの半田付け端子Ｔ１〜Ｔ６は、それらの下面がボディ主部２１の平坦な下面とほゞ面一になる形態でボディ主部２１の外側方に板片状に突き出ているのに対し、残りの１個の半田付け端子Ｔ７は、突片部２４の下端から外側方に突き出されていて、その下面が他の６個の半田付け端子Ｔ１〜Ｔ６の下面と同一レベルになっている。このように７個の半田付け端子Ｔ１〜Ｔ７の下面が同一レベルになっていることによって、それらの半田付け端子Ｔ１〜Ｔ７を面実装タイプとして使用可能である。また、ボディ主部２１の下面２５には前後２箇所に位置決め突起２６，２６が備わり、これらの突起２６，２６を後述する配線基板１００の２箇所の位置決め孔１１０，１１０に嵌合することによって配線基板１００上での実装位置が定まるようになっている（図１６参照）。
【００２１】
図５で判るように、上記挿入孔２３はボディ主部２１の後端部で左右２箇所が欠除されており、それらの左右の各欠除部２８，２９の外側にそれぞれ左右各別の凹入部３１，３２が備わっている。そして、片側の凹入部３１を横切って上記立上り片部４７に連設されている上記コンタクトＣ７が突き出ている。さらに、左右の各凹入部３１，３２の上下の壁面３１ａ，３１ｂ，３２ａ，３２ｂは平坦面として形成されている。
【００２２】
図１６は第１ユニット１０が面実装される配線基板１００の部分平面図である。同図のように、この配線基板１００には、第１ユニット１０の２箇所の位置決め突起２６，２６が嵌合される位置決め孔１１０，１１０が開設されている。また、これらの位置決め孔１１０，１１０を挟む両側に振り分けて合計７つの半田付けランド１２１〜１２７が形成されている。これらの半田付けランド１２１〜１２７のそれぞれは、第１ユニット１０の位置決め突起２６，２６を位置決め孔１１０，１１０に嵌合したときに、第１ユニット１０の７つの半田付け端子Ｔ１〜Ｔ７が重なり合う箇所に形成されている。したがって、第１ユニット１０を配線基板１００に面実装するときには、位置決め突起２６，２６を位置決め孔１１０，１１０に嵌合することによって、ボディ主部２１の平坦な下面２５を配線基板１００に重ねると共に、７つの半田付け端子Ｔ１〜Ｔ７のそれぞれを７つの半田付けランド１２１〜１２７のそれぞれに各別に重ね合わせ、それらの重なり箇所を半田付けすればよい。
【００２３】
こうして配線基板１００に面実装された第１ユニット１０の挿入孔２３に、ピン型電気プラグを挿入すると、そのピン型電気プラグに備わっている複数の電極にボディ２０のコンタクトＣ１〜Ｃ７のそれぞれが弾接して電気的導通が図られる。
図６〜図１１は本発明の実施形態による電気／光電変換両用コネクタに用いられる光電変換用コネクタ要素としての第２ユニット５０のホルダー６０を示しており、図６は正面図、図７は図６のＶＩＩ矢視図、図８は図６のＶＩＩＩ矢視図、図９は図６のＩＸ矢視図、図１０は図４のＸ−Ｘ線断面図、図１１は図７のＸＩ−ＸＩ線断面図である。また、図１２は第１ユニット１０に第２ユニット６０を装着してなる電気／光電変換両用コネクタＡの平面図、図１３は同底面図、図１４は同側面図である。
【００２４】
図７又は図１１に示したように、ホルダー６０は下面が開放した中空箱形に形成されていて、その内部に図１３に示されているように光電変換素子６１が収容保持されることによって第２ユニット５０が形成されるようになっている。また、図６、図１０又は図１１のように、ホルダー６０の前壁６７に円形の開口６８が備わっており、図１２のように、この開口６８にホルダー６０に収容保持された光電変換素子６１が臨むようになっている。
【００２５】
ホルダー６０には前向きに突き出た左右一対のアーム部６２，６３が設けられていて、図１２又は図１３のように第２ユニット５０を第１ユニット１０に装着した状態では、それらのアーム部６２，６３が第１ユニット１０のボディ主部２１の後端部の外側に嵌合してボディ主部２１の後端部の左右の外側面に重なり合い、しかも、それらのアーム部６２，６３の前端部に設けられた係止爪６４，６５が、図１２又は図１４のように、ボディ主部２１の後端部の左右の外側面に具備された溝形の係止段部３４，３５に係合し、ホルダー６０の前端面６６（前壁６７）がボディ主部２１の後端面３６に当接するようになっている。したがって、第２ユニット５０を第１ユニット１０に装着すると、ボディ主部２１の後端部が、ホルダー６０の前端面６６と係止爪６４，６５との共働によっで挟持される。
【００２６】
また、図６又は図１０のように、ホルダー６０の前壁６７には、開口６８を挟む両側に振り分けて、位置決め突部７１と補助突部７２とが突出されている。位置決め突部７１の前端部には凹所７３が形成されていると共に、その内面は、上記開口６８の周面に連続する前拡がりの円弧状の湾曲面７４に形成されている。また、補助突部７２の内面も、上記開口６８の周面に連続する前拡がりの円弧状の湾曲面７５に形成されている。そして、第２ユニット５０を第１ユニット１０に装着した状態では、第１ユニット１０を示した図５に仮想線で示したように、位置決め突部７１が、ボディ主部２１の凹入部３１に挿入されてその凹入部３１の上下の各壁面３１ａ，３１ｂに重なり合うことにより、第１ユニット１０に対する第２ユニット５０の上下位置を規制し、しかも、位置決め突部７１の湾曲面７４が、挿入孔２３の片側の欠除部２８に臨んでその挿入孔２３の孔壁面の一部を形成するようになっている。また、位置決め突部７１の凹所７３には、上記コンタクトＣ７が嵌入されるようになっている。これに対し、補助突部７２は、別の凹入部３２に挿入されることにより挿入孔２３を挟んで上記位置決め突部７１に左右方向で対向され、しかも、補助突部７２の湾曲面７５が、挿入孔２３の他側の欠除部２９に臨んでその挿入孔２３の孔壁面の一部を形成するようになっている。さらに、第１ユニット１０側に備わっている突片部２４と立上り片部４７との重なり部分４８（図５参照）が、図１２又は図１３のように、ホルダー６０の片側のアーム部６３の内側に形成された凹入部７９に嵌入されるようになっている。
【００２７】
図１２〜図１４のように、上記光電変換素子６１には３個の第２半田付け端子Ｔ８，Ｔ９，Ｔ１０が備っていて、これらの半田付け端子Ｔ８〜Ｔ１０がホルダー６０の下端縁からその後方に向けて突き出た状態でそのホルダー６０の後部に配備されている。そして、上記した位置決め突部７１が、ボディ主部２１の凹入部３１の上下の各壁面３１ａ，３１ｂに重なり合って第１ユニット１０に対する第２ユニット５０の上下位置を規制していることによって、これらの半田付け端子Ｔ８〜Ｔ１０の下面レベルが上記第１半田付け端子Ｔ１〜Ｔ７の下面レベルに一致している。このように第１ユニット１０側の７個の半田付け端子Ｔ１〜Ｔ７と第２ユニット５０の３個の半田付け端子Ｔ８〜Ｔ１０の下面が同一レベルになっていることによって、第１ユニット１０に第２ユニット５０を装着した状態でそれらの半田付け端子Ｔ１〜Ｔ１０のすべてを面実装タイプとして使用可能である。
【００２８】
図１６のように、第１ユニット１０側の７個の半田付け端子Ｔ１〜Ｔ７に対する半田付けランド１２１〜１２７が形成されている配線基板１００に、第２ユニット５０側の３個の半田付け端子Ｔ８〜Ｔ１０に対する半田付けランド１２８〜１３０が形成されている。
【００２９】
次に作用を説明する。
【００３０】
この電気／光電変換両用コネクタの電気コネクタとしての機能だけが要求され、光電変換コネクタとしての機能が要求されていない場合には、第２ユニット５０を省略し、既述したように第１ユニット１０だけを配線基板１００に面実装しておけばよい。こうしておけば、第１ユニット１０の挿入孔２３に、ピン型電気プラグを挿入することにより、そのピン型電気プラグに備わっている複数の電極にボディ２０のコンタクトＣ１〜Ｃ７のそれぞれが弾接して電気的導通が図られ、電気コネクタとしての機能が発揮される。
【００３１】
これに対し、電気コネクタとしての機能と光電変換コネクタとしての機能との両方が要求される場合には、第１ユニット１０に第２ユニット５０を装着することと、それらのユニット１０，５０の両方を配線基板１００に面実装することとが行われる。第１ユニット１０に第２ユニット５０を装着する手順としては、面実装する前の第１ユニット１０に第２ユニット５０を装着した後で、それらのユニット１０，５０を面実装するという手順を採っても、あるいは、配線基板１００に第１ユニット１０を面実装した後で、その第１ユニット１０に第２ユニット５０を装着し、その後、第２ユニット５０を面実装するという手順を採ってもよい。
【００３２】
第１ユニット１０に第２ユニット５０を装着する場合には、第２ユニット５０側の左右一対のアーム部６２，６３を第１ユニット１０の後方からそのボディ主部２１の後端部の外側に嵌合させ、それらのアーム部６２，６３の係止爪６４，６５をボディ主部２１の係止段部３４，３５に係合させることによって、ボディ主部２１の後端部を、ホルダー６０の前端面６６と係止爪６４，６５との共働によって挟持させる。これにより、第２ユニット５０側の位置決め突部７１がボディ主部２１の片側の凹入部３１に嵌合されてその上下の各壁面３１ａ，３１ｂに重なり合うので、第１ユニット１０に対する第２ユニット５０の上下位置が規制され、第２半田付け端子Ｔ８〜Ｔ１０の下面レベルが第１半田付け端子Ｔ１〜Ｔ７の下面レベルに一致する。そのため、上記のいずれの手順を採用した場合でも、第１半田付け端子Ｔ１〜Ｔ７や第２半田付け端子Ｔ８〜Ｔ１０を配線基板１００の半田付けランド１２１〜１２７，１２８〜１３０に容易にかつ適切に半田付けして第１ユニット１０及び第２ユニット５０を容易に面実装することが可能である。
【００３３】
こうして第１ユニット１０及び第２ユニット５０を配線基板１００に面実装しておくと、第１ユニット１０の挿入孔２３に、ピン型電気プラグを挿入することにより、そのピン型電気プラグに備わっている複数の電極にボディ２０のコンタクトＣ１〜Ｃ７のそれぞれが弾接して電気的導通が図られ、電気コネクタとしての機能が発揮される。また、第１ユニット１０の挿入孔２３にピン形光プラグ（不図示）を挿入すると、そのピン型光プラグに保持されている光ファイバーの光軸が、第２ユニット５０の光電変換素子６１に対して同軸状に配備されるので、そのピン型光コネクタと第２ユニット５０の光電変換素子６１とが光学的に接続され、光電変換コネクタとしての機能が発揮される。
【００３４】
この場合、第１ユニット１０に対する第２ユニット５０の前後方向での位置決めが、ホルダー６０の前端面６６と係止段部３４，３５に係合した係止爪６４，６５との共働によってボディ主部２１の後端部が挟持されることによって正確に行われており、それらの左右方向での位置決めが、ボディ主部２１の後端部の左右の外側面にホルダー６０の左右一対のアーム部６２，６３が各別に重なり合うことによって正確に行われており、それらの上下方向での位置決めが、ボディ主部２１の片側の凹入部３１の上下の各壁面３１ａ，３１ｂにホルダー６０の位置決め突部７１が重なり合うことにより正確に行われているので、第１ユニット１０の挿入孔２３に挿入されたピン型光プラグに保持されている光ファイバーの光軸が、第２ユニット５０の光電変換素子６１に対して同軸状に正確に配備されることになり、そのことが、光電変換コネクタとのしての機能低下を防ぐことに役立つ。また、位置決め突部７１の湾曲面７４や補助突部７２の湾曲面７５が、挿入孔２３の左右２箇所の欠除部で、その挿入孔２３の孔壁面の一部を形成しているため、ピン型光プラグがそれらの湾曲面７４，７５によって発揮される位置決め作用によって適正位置に保持されやすくなり、そのことが光電変換コネクタとのしての機能低下を防ぐことにも役立つ。
【００３５】
また、図１２又は図１３のように、第１ユニット１０側に備わっている突片部２４と立上り片部４７との重なり部分４８が、ホルダー６０の片側のアーム部６３の内側に形成された凹入部７９に嵌入されるため、その重なり部分４８がアーム部６３によってバックアップされた状態になる。そのため、ピン型電気プラグ又はピン型光プラグが、その重なり部分４８の立上り片部４７に連設されているコンタクトＣ７に弾接して立上り片部４７を側方へ弾圧しても、その重なり部分４８の突片部２４が変形したり折損したりすることはない。
【００３６】
【発明の効果】
以上のように、本発明に係る電気／光電変換両用コネクタによれば、電気用コネクタ要素だけを面実装するための配線基板と、電気用コネクタ要素と光電変換用コネクタ要素との両方を面実装するための配線基板とを共用してコスト低減を図ることが可能になるだけでなく、多極タイプである電気／光電変換両用コネクタを提供することが可能になる。また、電気用コネクタ要素に対して光電変換用コネクタ要素を正確に位置決めしてそれら両方の要素を容易かつ適切に配線基板に面実装することができるため、電気コネクタとしての機能が要求される場合も、光電変換コネクタとしての機能が要求される場合も、それらの機能を十分に発揮させることが可能である。さらに、電気／光電変換両用コネクタの小形化による強度低下を補って実用強度を満足することのできる構造を提供することができる。
【図面の簡単な説明】
【図１】  本発明の実施形態による第１ユニットの正面図である。
【図２】  図１のＩＩ矢視図である。
【図３】  図１のＩＩＩ矢視図である。
【図４】  図１のＩＶ矢視図である。
【図５】  図４のＶ矢視図である。
【図６】  本発明の実施形態による第２ユニットのホルダーの正面図である。
【図７】  図６のＶＩＩ矢視図である。
【図８】  図６のＶＩＩＩ矢視図である。
【図９】  図６のＩＸ矢視図である。
【図１０】  図４のＸ−Ｘ線断面図である。
【図１１】  図７のＸＩ−ＸＩ線断面図である。
【図１２】  本発明の実施形態による電気／光電変換両用コネクタの平面図である。
【図１３】  同電気／光電変換両用コネクタの底面図である。
【図１４】  図１４は同電気／光電変換両用コネクタの側面図である。
【図１５】  第１ユニットに備わっている電気回路の回路図である。
【図１６】  半田付けランドの配置パターンを示した配線基板の部分平面図である。
【符号の説明】
Ｃ１〜Ｃ７  コンタクト
Ｔ１〜Ｔ７  第１半田付け端子
Ｔ８〜Ｔ１０  第２半田付け端子
１０  第１ユニット（電気用ユニット）
２０  ボディ
２３  挿入孔
２４  突片部
２８，２９  欠除部
３１，３２  凹入部
３１ａ，３１ｂ  凹入部の上下の壁面
３４，３５  係止段部
４７  立上り片部
４８  突片部と立上り片部との重なり部分
５０  第２ユニット（光電変換用コネクタ要素）
６０  ホルダー
６１  光電変換素子
６２，６３  アーム部
６４，６５  係止爪
６６  ホルダーの前端面
７１  位置決め突部
７２  補助突部
７４，７５  湾曲面
７９  凹入部
【図１】
0003749862.tif 000002
【図２】
0003749862.tif 000003
【図３】
0003749862.tif 000004
【図４】
0003749862.tif 000005
【図５】
0003749862.tif 000006
【図６】
0003749862.tif 000007
【図７】
0003749862.tif 000008
【図８】
0003749862.tif 000009
【図９】
0003749862.tif 000010
【図１０】
0003749862.tif 000011
【図１１】
0003749862.tif 000012
【図１２】
0003749862.tif 000013
【図１３】
0003749862.tif 000014
【図１４】
0003749862.tif 000015
【図１５】
0003749862.tif 000016
【図１６】
0003749862.tif 000017